(57)【要約】      （修正有）【課題】物体側から順に正負正負正負の６群ズームレンズ系であって、変倍比が１３倍を超え、かつ長焦点距離端での焦点距離が３５０ｍｍ程度、Ｆ値が５．８程度で、短焦点距離端で６０°程度の画角を持つ、ズームレンズ系を得る。【解決手段】物体側から順に、正の屈折力の第１レンズ群１０、負の屈折力の第２レンズ群２０、正の屈折力の第３レンズ群３０、負の屈折力の第４レンズ群４０、正の屈折力の第５レンズ群５０、及び負の屈折力の第６レンズ群６０からなり、変倍に際し第１レンズ群１０と第２レンズ群２０のレンズ群間隔が増加し、第２レンズ群２０と第３レンズ群３０のレンズ群間隔が減少するズームレンズ系において、次の条件式（１）及び（２）を満足する。（１）５．０＜ｆ１／｜ｆ２｜＜９．０（ｆ２＜０）（２）４．１＜ｆ１／ｆ５＜６．０但し、ｆ１：第１レンズ群の焦点距離；ｆ２：第２レンズ群の焦点距離；ｆ５：第５レンズ群の焦点距離。【選択図】図１
2010198012.tif 000002
【特許請求の範囲】
【請求項１】
物体側から順に、正の屈折力の第１レンズ群、負の屈折力の第２レンズ群、正の屈折力の第３レンズ群、負の屈折力の第４レンズ群、正の屈折力の第５レンズ群、及び負の屈折力の第６レンズ群からなり、短焦点距離端から長焦点距離端への変倍に際し、第１レンズ群と第２レンズ群のレンズ群間隔が増加し、第２レンズ群と第３レンズ群のレンズ群間隔が減少する高変倍ズームレンズ系において、
次の条件式（１）及び（２）を満足することを特徴とする高変倍ズームレンズ系。
（１）５．０＜ｆ１／｜ｆ２｜＜９．０（ｆ２＜０）
（２）４．１＜ｆ１／ｆ５＜６．０
但し、
ｆ１：第１レンズ群の焦点距離；
ｆ２：第２レンズ群の焦点距離；及び
ｆ５：第５レンズ群の焦点距離。
【請求項２】
請求項１記載の高変倍ズームレンズ系において、
第５レンズ群は、３枚以上の正レンズを含み、そのうち少なくとも３枚が、次の条件式
（３）を満足する高変倍ズームレンズ系。
（３）Ｖ５ｐ＞６０
但し、
Ｖ５ｐ：第５レンズ群に含まれる正レンズのアッベ数。
【請求項３】
請求項１又は請求項２記載の高変倍ズームレンズ系において、
第２レンズ群は、変倍中、像面に対して固定されていることを特徴とする高変倍ズームレンズ系。
【請求項４】
請求項１乃至請求項３のいずれかに記載の高変倍ズームレンズ系において、
第６レンズ群は、物体側から順に、負レンズ、負レンズ及び正レンズから構成される高変倍ズームレンズ系。
【請求項５】
請求項１記載の高変倍ズームレンズ系において、第１レンズ群及び第５レンズ群は、それぞれが異常分散性のある硝材からなる少なくとも１枚以上の正レンズを備え、次の条件式（４）及（５）を満足する高変倍ズームレンズ系。
（４）  Ｖｄ＞８０
（５）  Ｐg,F ＞０．５３５
但し、
Ｖｄ：少なくとも１枚以上の正レンズのアッベ数；及び
Pg,F ：少なくとも１枚以上の正レンズの部分分散比
【請求項６】
請求項５記載の高変倍ズームレンズ系において、前記正レンズの部分分散比が次の条件式（５'）を満足する高変倍ズームレンズ系。
（５'）  Ｐg,F ＞０．５４０
【発明の詳細な説明】
【技術分野】
【０００１】
本発明は、一眼レフカメラ用、特にデジタル一眼レフ（ＳＬＲ）カメラ用として好適な変倍比（ズーム比）が１３倍を超える高変倍ズームレンズ系に関する。
【背景技術】
【０００２】
変倍比が１０倍前後で、長焦点距離端の焦点距離が３００ｍｍ程度の高変倍ズームレンズ系としては、物体側から順に正負正負正負の６群タイプが知られている（特許文献１〜特許文献４）。
【先行技術文献】
【特許文献】
【０００３】
【特許文献１】特開平１１−１７４３２７号公報
【特許文献２】特開平４−１８６２１３号公報
【特許文献３】特開平４−１８６２１１号公報
【特許文献４】特開平４−１４６４０７号公報
【発明の概要】
【発明が解決しようとする課題】
【０００４】
しかしながら、特許文献１記載の高変倍ズームレンズ系は、長焦点距離端の焦点距離が３００ｍｍ程度であって十分な変倍比（ズーム比）が得られない。
【０００５】
一方、特許文献２〜特許文献４記載の高変倍ズームレンズ系は、望遠側を重視したレンズ系として、長焦点距離端の焦点距離３５０ｍｍ、Ｆ値５．６を達成しているが、短焦点距離端の焦点距離が３５ｍｍ程度であり、これをＡＰＳ−Ｃサイズのデジタル一眼レフで使用した場合、その画角は４５°程度しかない。
【０００６】
本発明は、かかる点に鑑みてなされたものであり、物体側から順に正負正負正負の６群ズームレンズ系であって、変倍比が１３倍を超え、かつ長焦点距離端での焦点距離が３５０ｍｍ程度、Ｆ値が５．８程度を達成するとともに、短焦点距離端で６０°程度の画角を持つ、優れた光学性能の高変倍ズームレンズ系を得ることを目的とする。
【課題を解決するための手段】
【０００７】
本発明の高変倍ズームレンズ系は、物体側から順に、正の屈折力の第１レンズ群、負の屈折力の第２レンズ群、正の屈折力の第３レンズ群、負の屈折力の第４レンズ群、正の屈折力の第５レンズ群、及び負の屈折力の第６レンズ群からなり、短焦点距離端から長焦点距離端への変倍に際し、第１レンズ群と第２レンズ群のレンズ群間隔が増加し、第２レンズ群と第３レンズ群のレンズ群間隔が減少する高変倍ズームレンズ系において、次の条件式（１）及び（２）を満足することを特徴としている。
（１）５．０＜ｆ１／｜ｆ２｜＜９．０（ｆ２＜０）
（２）４．１＜ｆ１／ｆ５＜６．０
但し、
ｆ１：第１レンズ群の焦点距離；
ｆ２：第２レンズ群の焦点距離；及び
ｆ５：第５レンズ群の焦点距離。
【０００８】
第５レンズ群は、３枚以上の正レンズを含み、そのうち少なくとも３枚が、次の条件式
（３）を満足することが好ましい。
（３）Ｖ５ｐ＞６０
但し、
Ｖ５ｐ：第５レンズ群に含まれる正レンズのアッベ数、
である。
【０００９】
本ズームレンズ系の一態様では、第２レンズ群は、変倍中、像面に対して固定することができる。
【００１０】
第６レンズ群は、物体側から順に、負レンズ、負レンズ及び正レンズから構成することができる。
【００１１】
正の第１レンズ群及び正の第５レンズ群は、それぞれが異常分散性のある硝材からなる少なくとも１枚以上の正レンズを含み、次の条件式（４）及（５）を満足すると好ましい。
（４）  Ｖｄ＞８０
（５）  Ｐg,F ＞０．５３５
但し、
Ｖｄ：少なくとも１枚以上の正レンズのアッベ数；及び
Pg,F ：少なくとも１枚以上の正レンズの部分分散比
【００１２】
なお、部分分散比が次の条件式（５'）を満足するとより好ましい。
（５'）  Ｐg,F ＞０．５４０
【発明の効果】
【００１３】
本発明によれば、物体側から順に正負正負正負の６群ズームレンズ系であって、変倍比が１３倍を超え、かつ長焦点距離端での焦点距離が３５０ｍｍ程度、Ｆ値が５．８程度を達成するとともに、短焦点距離端で６０°程度の画角を持つ、優れた光学性能の高変倍ズームレンズ系を得ることができる。
【図面の簡単な説明】
【００１４】
【図１】本発明による高変倍ズームレンズ系の実施例１の長焦点距離における無限遠合焦時のレンズ構成図である。
【図２】図１の構成における諸収差図である。
【図３】図１の構成における横収差図である。
【図４】同実施例１の短焦点距離における無限遠合焦時のレンズ構成図である。
【図５】図４の構成における諸収差図である。
【図６】図４の構成における横収差図である。
【図７】本発明による高変倍ズームレンズ系の実施例２の長焦点距離における無限遠合焦時のレンズ構成図である。
【図８】図７の構成における諸収差図である。
【図９】図７の構成における横収差図である。
【図１０】同実施例２の短焦点距離における無限遠合焦時のレンズ構成図である。
【図１１】図１０の構成における諸収差図である。
【図１２】図１０の構成における横収差図である。
【図１３】本発明による高変倍ズームレンズ系の実施例３の長焦点距離における無限遠合焦時のレンズ構成図である。
【図１４】図１３の構成における諸収差図である。
【図１５】図１３の構成における横収差図である。
【図１６】同実施例３の短焦点距離における無限遠合焦時のレンズ構成図である。
【図１７】図１６の構成における諸収差図である。
【図１８】図１６の構成における横収差図である。
【図１９】本発明による高変倍ズームレンズ系の実施例４の長焦点距離における無限遠合焦時のレンズ構成図である。
【図２０】図１９の構成における諸収差図である。
【図２１】図１９の構成における横収差図である。
【図２２】同実施例４の短焦点距離における無限遠合焦時のレンズ構成図である。
【図２３】図２２の構成における諸収差図である。
【図２４】図２２の構成における横収差図である。
【図２５】本発明による高変倍ズームレンズ系の実施例５の長焦点距離における無限遠合焦時のレンズ構成図である。
【図２６】図２５の構成における諸収差図である。
【図２７】図２５の構成における横収差図である。
【図２８】同実施例５の短焦点距離における無限遠合焦時のレンズ構成図である。
【図２９】図２８の構成における諸収差図である。
【図３０】図２８の構成における横収差図である。
【図３１】本発明による高変倍ズームレンズ系の実施例６の長焦点距離における無限遠合焦時のレンズ構成図である。
【図３２】図３１の構成における諸収差図である。
【図３３】図３１の構成における横収差図である。
【図３４】同実施例６の短焦点距離における無限遠合焦時のレンズ構成図である。
【図３５】図３４の構成における諸収差図である。
【図３６】図３４の構成における横収差図である。
【図３７】本発明による高変倍ズームレンズ系のズーム軌跡を示す簡易移動図である。
【発明を実施するための形態】
【００１５】
本実施の形態の高変倍ズームレンズ系は、図３１の簡易移動図に示すように、物体側から順に、正の屈折力の第１レンズ群１０、負の屈折力の第２レンズ群２０、絞りＳ、正の屈折力の第３レンズ群３０、負の屈折力の第４レンズ群４０、正の屈折力の第５レンズ群及び負の屈折力の第６レンズ群６０からなる。Ｉは像面である。
【００１６】
短焦点距離端（Ｗｉｄｅ）から長焦点距離端（Ｔｅｌｅ）への変倍（ズーミング）に際し、第２レンズ群２０以外の第１レンズ群１０、第３レンズ群３０、第４レンズ群４０、第５レンズ群５０及び第６レンズ群６０は、それぞれ個別の軌跡で物体側に移動し、第２レンズ群は像面に対して固定（移動しない）である。その結果、短焦点距離端（Ｗｉｄｅ）から長焦点距離端（Ｔｅｌｅ）への変倍に際し、第１レンズ群１０と第２レンズ群２０のレンズ群間隔は増大し、第２レンズ群２０と第３レンズ群３０のレンズ群間隔は減少する。
【００１７】
第２レンズ群２０と第３レンズ群３０の間に位置する絞りＳは、第３レンズ群３０と一体に移動する。第６レンズ群６０はフォーカスレンズ群であり、無限遠物体から近距離物体へのフォーカシングに際し、像側に移動する。第３レンズ群３０と第５レンズ群５０は、一体に移動させる移動軌跡も可能であり、一体移動とすると、感度低減に効果があり、製造を容易にすることができる。
【００１８】
条件式（１）は、正の第１レンズ群１０の焦点距離ｆ１と負の第２レンズ群２０の焦点距離ｆ２の比（ｆ１／｜ｆ２｜）に関する条件式である。
【００１９】
条件式（１）の上限を超えると、第２レンズ群２０の負のパワーが強く、短焦点距離端において非点収差の補正が困難となる。
条件式（１）の下限を超えると、第２レンズ群２０の負のパワーが弱く、短焦点距離端においてバックフォーカスの確保に不利となる。これを解決するために仮に、第２レンズ群２０と第３レンズ群３０の間隔を大きくすると、第１レンズ群１０及び第２レンズ群２０のレンズ径が大きくなり、非点収差及び像面湾曲の補正が困難となる。また、第１レンズ群の正のパワーが強く長焦点距離端において、球面収差及びコマ収差の補正が困難となる。
【００２０】
即ち、条件式（１）を満足することにより、以下の効果を得ることができる。
Ａ）短焦点距離端において、非点収差の補正とバックフォーカスの確保がし易くなる。
Ｂ）長焦点距離端において、球面収差及びコマ収差の補正がし易くなる。
Ｃ）第１レンズ群１０及び第２レンズ群２０のレンズ径が大きくなることによる非点収差及び像面湾曲の補正の困難性が解消する。
【００２１】
条件式（２）は、ともに正のパワーの第１レンズ群１０の焦点距離ｆ１と第５レンズ群５０の焦点距離ｆ５の比（ｆ１／ｆ５）に関する条件式である。
【００２２】
条件式（２）の上限を超えて第５レンズ群５０の正のパワーが強くなると、短焦点距離端において歪曲収差を良好に補正するためには、前群（第１レンズ群１０と第２レンズ群２０）と後群（第５レンズ群５０と第６レンズ群６０）のパワーバランスをとる必要があることから、第５レンズ群５０の正のパワーが強くなる分、第６レンズ群６０の負のパワーも強くしなければならない。しかし、第５レンズ群５０と第６レンズ群６０が強いパワーで打ち消しを行うので、ズームによる球面収差及びコマ収差の変動が大きくなる。
条件式（２）の下限を超えて第５レンズ群５０の正のパワーが弱くなると、短焦点距離端において、バックフォーカスｆＢの確保に不利となる。これを解決するためには、第２レンズ群２０以降のレンズ群の正のパワーを弱くする、ないし負のパワーを強くする必要があるが、その結果第２レンズ群２０以降のレンズ群の相対的なパワーバランスが負に偏るので、球面収差が補正過剰となる。
【００２３】
即ち、条件式（２）を満足することにより、以下の効果を得ることができる。
Ａ）短焦点距離端において、歪曲収差を良好に補正できるとともに、ズームによる球面収差及びコマ収差の変動を小さく抑えることができる。
Ｂ）短焦点距離端において、バックフォーカスｆＢが確保し易くなるとともに、球面収差の補正過剰を抑制することができる（球面収差の補正量を好適に維持）。
【００２４】
条件式（３）は、第５レンズ群５０に含まれる３枚以上の正レンズのうちの少なくとも３枚のレンズのアッベ数Ｖ５ｐに関する条件式である。
【００２５】
一般に条件式（３）を満たすような硝材は屈折率が低いので、球面収差の補正には不利である。これを解決するために、本実施形態では、第５レンズ群５０中に、少なくとも３枚以上の正レンズを配置し、かつそのうちの少なくとも３枚の正レンズに条件式（３）を満足する硝材を用いている。第３レンズ群中に３枚以上の正レンズを含ませることで正の屈折力を適度に分散することができ、球面収差の発生を最小限に抑えることができる。条件式（３）の下限を超えると、特に長焦点距離端で軸上色収差の補正が困難となる。
【００２６】
第２レンズ群２０は、最も変倍に寄与するレンズ群であるので、製造誤差に対する性能劣化が大きい。このため、第２レンズ群２０を短焦点距離端と長焦点距離端の間の変倍中において固定する（ズーム中固定）ことで、製造誤差による性能劣化を低減することができる。
【００２７】
フォーカスレンズ群である第６レンズ群６０は、物体側から順に、負レンズ、負レンズ及び正レンズの３枚のレンズで構成するのがよい。レンズ枚数が増えると、収差補正には有利となるが、重量が増えるため、迅速なフォーカシングが困難となる。レンズ枚数が２枚以下では、収差補正が不十分である。
【００２８】
本発明に係る高変倍ズームレンズ系の正の第１レンズ群及び正の第５レンズ群は、それぞれが異常分散性のある硝材からなる少なくとも１枚以上の正レンズを備えており、条件式（４）及び条件式（５）は、この正レンズのアッベ数及び部分分散比に関する条件式である。
この正レンズのアッベ数及び部分分散比が条件式（４）及び（５）を満たすことにより、軸上収差の２次スペクトルを良好に補正することができる。
さらに、第１レンズ群１０に、条件式（５'）を満足する、より異常分散性の高い硝材を使用すると、軸上収差の２次スペクトルをより良好に補正することができる。
【００２９】
次に具体的な実施例を示す。以下の実施例はいずれも、デジタル一眼レフ（ＳＬＲ）カメラ用である。諸収差図及び横収差図並びに表中において、球面収差で表される色収差図（軸上色収差図）及び倍率色収差図中のｄ線、ｇ線、Ｃ線はそれぞれの波長に対する収差、Ｓはサジタル、Ｍはメリディオナル、Ｒは曲率半径、ｄはレンズ間隔（レンズ厚）、Ｎｄはｄ線の屈折率、Ｖｄはアッベ数、ＢＦはバックフォーカス、Ｌはレンズ全長（第１面から像面までの距離）、Ｐg,F は部分分散比（Ｐg,F＝（Ｎg−ＮF）／（ＮF−ＮC））をそれぞれ示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
【００３０】
［数値実施例１］
図１〜図６と表１〜表３は、本発明による高変倍ズームレンズ系の実施例１を示している。図１は長焦点距離端における無限遠合焦時のレンズ構成図、図２はその諸収差図、図３は横収差図であり、図４は短焦点距離端における無限遠合焦時のレンズ構成図、図５はその諸収差図、図６は横収差図である。表１はズームレンズ系の面データ、表２はその各種データ、表３はそのズームレンズ群データである。
【００３１】
本実施例のズームレンズ系１は、物体側から順に、正の第１レンズ群１０、負の第２レンズ群２０、正の第３レンズ群３０、負の第４レンズ群４０、正の第５レンズ群及び負の第６レンズ群６０からなる。
【００３２】
第１レンズ群１０は、物体側から順に、物体側から順に位置する物体側に凸の負メニスカスレンズ１１と両凸正レンズ１２の接合レンズ１３、及び物体側に凸の正メニスカスレンズ１４からなる。
第２レンズ群２０は、物体側から順に、物体側に凸の負メニスカスレンズ２１、物体側から順に位置する物体側に凸の負メニスカスレンズ２２と物体側に凸の正メニスカスレンズ２３の接合レンズ２４、及び物体側から順に位置する両凹負レンズ２５と両凸正レンズ２６の接合レンズ２７からなる。
第３レンズ群３０は、物体側から順に、両凸正レンズ３１、及び物体側から順に位置する両凸正レンズ３２と像側に凸の負メニスカスレンズ３３の接合レンズ３４からなる。
第４レンズ群４０は、物体側から順に位置する両凹負レンズ４１と物体側に凸の正メニスカスレンズ４２の接合レンズ４３からなる。
第５レンズ群５０は、物体側から順に、両凸正レンズ５１、両凸正レンズ５２、及び物体側から順に位置する両凸正レンズ５３と両凹負レンズ５４の接合レンズ５５からなる。
第６レンズ群６０は、物体側から順に、両凹負レンズ６１、両凹負レンズ６２、及び両凸正レンズ６３からなる。非球面は用いていない。
実施例１では、第１レンズ群１０に異常分散性のある硝材からなる正レンズを１枚、及び、第５レンズ群５０に異常分散性のある硝材からなる正レンズを１枚備えている。
（表１）
面データ
No.        R         d         Nd        Vd        Ｐg,F
1     191.245     2.800    1.83400     37.2
2      73.266    10.188    1.43875     95.0       0.535
3    -395.356     0.150
4      70.272     8.500    1.58913     61.2
5     602.678     d 5
6      36.640     1.300    1.83400     37.2
7      20.782     5.646
8     213.262     1.300    1.80610     40.9
9      16.561     6.137    1.78472     25.7
10      65.171     5.258
11     -25.036     1.100    1.77250     49.6
12      47.441     2.787    1.80518     25.4
13     -99.062     d13
14絞  INFINITY     1.000
15      31.169     3.348    1.62299     58.2
16    -100.241     0.100
17      45.700     3.942    1.48749     70.2
18     -30.485     1.100    1.80518     25.4
19    -121.511     d19
20     -33.827     1.200    1.74320     49.3
21      21.750     2.522    1.80518     25.
22      56.053     d22
23     145.032     4.243    1.48749     70.2
24     -23.598     0.100
25      66.781     2.977    1.61800     63.4
26     -87.412     0.100
27      27.342     5.486    1.49700     81.6       0.537
28     -25.521     1.200    1.80100     35.0
29     138.304     d29
30    -130.507     1.200    1.80500     34.6
31      34.173     1.606
32    -148.058     1.200    1.77250     49.6
33      31.301     0.100
34      28.304     3.520    1.74077     27.8
35     -71.573       -
（表２）
各種データ
ズーム比      13.23
短焦点距離      中間焦点距離      長焦点距離
Ｆナンバー       3.5              4.9              5.8 
焦点距離        25.70           100.00           340.00
半画角          30.3              8.0              2.4
像高            14.24            14.24            14.24
BF              41.16            57.39            72.49 
L              168.30           216.98           249.98
d 5              2.100           50.788           83.781 
d13             32.218           12.069            2.000
d19              2.239            5.569            7.834 
d22              7.676            4.345            2.081 
d29              2.795            6.716            1.680
（表３）
ズームレンズ群データ
群    始面    焦点距離
1      1      132.18
2      6      -18.26
3     15       30.51
4     20      -29.38
5     23       22.83
6     30      -46.21
【００３３】
［数値実施例２］
図７〜図１２と表４〜表６は、本発明による高変倍ズームレンズ系の実施例２を示している。図７は長焦点距離端における無限遠合焦時のレンズ構成図、図８はその諸収差図、図９は横収差図であり、図１０は短焦点距離端における無限遠合焦時のレンズ構成図、図１１はその諸収差図、図１２は横収差図である。表４はズームレンズ系の面データ、表５はその各種データ、表６はそのズームレンズ群データである。
実施例２では、第１レンズ群１０に異常分散性のある硝材からなる正レンズを１枚、及び、第５レンズ群５０に異常分散性のある硝材からなる正レンズを１枚備えている。
【００３４】
この実施例２の基本的なレンズ構成は実施例１と同様であり、表４〜表６に示す数値データのみが異なる。
（表４）
面データ
No.        R         d        Nd         Vd        Ｐg,F
1     174.827     2.800    1.83400     37.2
2      71.176    10.147    1.43875     95.0       0.535
3    -489.941     0.150
4      69.379     8.500    1.60311     60.7
5     554.596     d 5
6      41.357     1.300    1.83499     40.7
7      20.955     6.088
8     151.746     1.300    1.80999     45.3
9      25.428     3.826    1.78472     25.7
10      63.835     5.945
11     -24.253     1.100    1.77250     49.6
12      40.038     3.181    1.80518     25.4
13     -84.137     d13
14絞   INFINITY    1.000 
15      35.724     3.931    1.62299     58.2
16     -64.205     0.100
17      47.229     4.361    1.48749     70.2
18     -28.415     1.100    1.80518     25.4
19    -116.590     d19
20     -39.397     1.200    1.71300     53.9
21      22.236     2.607    1.78472     25.7
22      71.484     d22
23     548.548     3.691    1.48749     70.2
24     -24.766     0.100
25      77.236     2.640    1.61800     63.4
26    -103.670     0.100
27      30.289     5.060    1.49700     81.6       0.537
28     -24.046     1.200    1.80100     35.0
29      96.090     d29
30    -159.931     1.200    1.80610     33.3
31      34.628     3.647
32   -7992.498     1.200    1.77250     49.6
33      34.567     0.100
34      30.391     3.317    1.74077     27.8
35     -95.101       -
（表５）
各種データ
ズーム比      13.32
短焦点距離      中間焦点距離      長焦点距離
Ｆナンバー        3.5              5.2              5.8 
焦点距離         25.52           100.00           339.95 
半画角           30.4              8.0              2.4 
像高             14.24            14.24            14.24
BF               39.00            57.05            75.08
L               172.15           215.27           249.99
d 5               2.100           45.222           79.946
d13              36.781           12.580            2.000
d19               2.127            5.678            8.294
d22               8.346            4.795            2.180
d29               2.910            9.052            1.600
（表６）
ズームレンズ群データ
群    始面    焦点距離
1       1      128.34
2       6      -18.23
3      15       30.44
4      20      -38.19
5      23       29.78
6      30      -59.21
【００３５】
［数値実施例３］
図１３〜図１８と表７〜表９は、本発明による高変倍ズームレンズ系の実施例３を示している。図１３は長焦点距離端における無限遠合焦時のレンズ構成図、図１４はその諸収差図、図１５は横収差図であり、図１６は短焦点距離端における無限遠合焦時のレンズ構成図、図１７はその諸収差図、図１８は横収差図である。表７はズームレンズ系の面データ、表８はその各種データ、表９はそのズームレンズ群データである。
実施例３では、第１レンズ群１０に異常分散性のある硝材からなる正レンズを１枚、及び、第５レンズ群５０に異常分散性のある硝材からなる正レンズを１枚備えている。
【００３６】
この実施例３の基本的なレンズ構成は実施例１と同様であり、表７〜表９に示す数値データのみが異なる。
（表７）
面データ
No.        R         d        Nd         Vd        Ｐg,F
1     189.013     2.800    1.83400     37.2
2      69.063    11.200    1.43875     95.0       0.535
3    -315.746     0.150
4      66.883     8.923    1.60311     60.7
5     820.261     d 5
6      38.940     1.300    1.83500     41.2
7      21.527     5.111
8     190.368     1.300    1.80717     44.4
9      21.947     4.500    1.78472     25.7
10      61.726     5.401
11     -24.456     1.100    1.77250     49.6
12      50.434     3.150    1.80518     25.4
13     -82.146     d13
14絞  INFINITY     1.000
15      32.588     4.091    1.62299     58.2
16     -77.064     0.100
17      52.177     4.548    1.48749     70.2
18     -28.113     1.100    1.80518     25.4
19    -131.356     d19
20     -36.235     1.200    1.71300     53.9
21      20.709     3.116    1.78472     25.7
22      61.774     d22
23     293.391     3.949    1.48749     70.2
24     -23.986     0.100
25      74.402     2.770    1.61800     63.4
26     -95.932     0.100
27      30.415     5.102    1.49700     81.6       0.537
28     -25.537     1.200    1.80100     35.0
29     103.525     d29
30    -168.810     1.200    1.80610     33.3
31      36.377     1.374
32    -339.625     1.200    1.77250     49.6
33      32.830     0.100
34      30.130     8.299    1.74077     27.8
35     -81.090       -
（表８）
各種データ
ズーム比      13.23
短焦点距離      中間焦点距離      長焦点距離
Ｆナンバー         3.5              5.4              5.8     
焦点距離          25.70           100.00           339.88  
半画角            30.3              7.9              2.4
像高              14.24            14.24            14.24
BF                39.00            61.04            80.49 
L                180.00           217.53           249.19   
d 5                2.100           39.636           71.304 
d13               41.822           13.892            2.000  
d19                2.284            3.398            6.057
d22                6.028            4.913            2.254
d29                3.281            9.162            1.600
（表９）
ズームレンズ群データ
群    始面    焦点距離
1       1      118.10
2       6      -19.03
3      15       32.01
4      20      -34.01
5      23       27.18
6      30      -58.28
【００３７】
［数値実施例４］
図１９〜図２４と表１０〜表１２は、本発明による高変倍ズームレンズ系の実施例４を示している。図１９は長焦点距離端における無限遠合焦時のレンズ構成図、図２０はその諸収差図、図２１は横収差図であり、図２２は短焦点距離端における無限遠合焦時のレンズ構成図、図２３はその諸収差図、図２４は横収差図である。表１０はズームレンズ系の面データ、表１１はその各種データ、表１２はそのズームレンズ群データである。
実施例４では、第１レンズ群１０に異常分散性のある硝材からなる正レンズを１枚、及び、第５レンズ群５０に異常分散性のある硝材からなる正レンズを１枚備えている。
【００３８】
この実施例４の基本的なレンズ構成は実施例１と同様であり、表１０〜表１２に示す数値データのみが異なる。
（表１０）
面データ
No.        R         d         Nd        Vd        Ｐg,F
1     171.091     2.800    1.83400     37.2
2      71.027    10.168    1.43875     95.0       0.535
3    -484.257     0.150
4      69.258     8.500    1.58000     64.2
5     597.496     d 5
6      38.302     1.300    1.84922     42.5
7      20.733     7.720
8     201.247     1.300    1.80797     46.3
9      16.200     6.010    1.78472     25.7
10      62.149     4.057
11     -22.871     1.100    1.77482     45.1
12      47.198     2.929    1.80518     25.4
13     -91.298     d13
14絞  INFINITY    1.000 
15      34.399     3.823    1.62088     63.0
16     -70.934     0.100
17      48.537     4.371    1.49309     69.6
18     -29.641     1.100    1.80518     25.4
19    -100.204     d19
20     -35.014     1.200    1.71778     50.7
21      22.992     2.523    1.80518     25.4
22      55.474     d22
23     221.055     4.213    1.48749     70.2
24     -24.900     0.100
25      70.726     2.994    1.61800     63.4
26     -95.494     0.100
27      28.930     5.658    1.49700     81.6       0.537
28     -26.709     1.200    1.79577     37.0
29     108.263     d29
30    -157.099     1.200    1.81287     33.7
31      36.935     1.848
32    -308.629     1.200    1.77250     49.6
33      32.760     0.100
34      29.507     4.312    1.74077     27.8
35     -87.532       -
（表１１）
各種データ
ズーム比      13.23
短焦点距離      中間焦点距離      長焦点距離
Ｆナンバー        3.5              4.9              5.8
焦点距離         25.70           100.00           340.03
半画角           30.3              8.0              2.4
像高             14.24            14.24            14.24
BF               45.91            59.78            70.70
L               175.89           224.80           254.42
d 5               2.100           51.019           80.638
d13              33.170           12.890            2.000
d19               2.247            4.934            7.818
d22               7.885            5.199            2.315
d29               1.500            7.902            7.876
（表１２）
ズームレンズ群データ
群    始面    焦点距離
1       1      130.18
2       6      -16.48
3      15       29.52
4      20      -31.54
5      23       25.64
6      30      -54.37
【００３９】
［数値実施例５］
図２５〜図３０と表１３〜表１５は、本発明による高変倍ズームレンズ系の実施例５を示している。図２５は長焦点距離端における無限遠合焦時のレンズ構成図、図２６はその諸収差図、図２７は横収差図であり、図２８は短焦点距離端における無限遠合焦時のレンズ構成図、図２９はその諸収差図、図３０は横収差図である。表１３はズームレンズ系の面データ、表１４はその各種データ、表１５はそのズームレンズ群データである。
実施例５では、第１レンズ群１０に異常分散性のある硝材からなる正レンズを１枚、及び、第５レンズ群５０に異常分散性のある硝材からなる正レンズを１枚備えている。
【００４０】
この実施例５の基本的なレンズ構成は実施例１と同様であり、表１３〜表１５に示す数値データのみが異なる。
（表１３）
面データ
No.        R         d        Nd         Vd        Ｐg,F
1     189.695     2.800    1.83400     37.2
2      72.783    10.172    1.43875     95.0       0.535
3    -417.015     0.150
4      70.342     8.500    1.60311     60.7
5     581.514     d 5
6      37.734     1.300    1.83400     37.2
7      21.038     5.760
8     180.879     1.300    1.80610     40.9
9      16.218     5.666    1.78472     25.7
10      59.117     5.345
11     -24.171     1.100    1.77250     49.6
12      59.022     2.758    1.80518     25.4
13     -81.361     d13
14絞  INFINITY     1.000
15      33.430     3.595    1.62299     58.2
16     -69.681     0.100
17      48.820     4.076    1.48749     70.2
18     -28.680     1.100    1.80518     25.4
19    -117.135     d19
20     -35.610     1.200    1.71300     53.9
21      22.013     2.531    1.78472     25.7
22      61.547     d22
23     292.354     3.881    1.48749     70.2
24     -24.161     0.128
25      71.587     2.777    1.61800     63.4
26     -97.019     0.241
27      29.206     5.216    1.49700     81.6       0.537
28     -25.222     1.200    1.80100     35.0
29     102.342     d29
30    -162.180     1.200    1.80610     33.3
31      37.125     3.022
32    -304.686     1.200    1.77250     49.6
33      32.428     0.100
34      29.709     3.457    1.74077     27.8
35     -82.392       -
（表１４）
各種データ
ズーム比      13.32
短焦点距離      中間焦点距離      長焦点距離
Ｆナンバー        3.5              5.1              5.8     
焦点距離         25.56           100.08           340.48   
半画角           30.4              8.0              2.4 
像高             14.24            14.24            14.24
BF               38.91            55.51            73.16      
L               169.87           215.37           250.29    
d 5               2.100           47.600           82.540  
d13              34.279           11.900            2.000   
d19               1.979            5.518            7.868    
d22               8.341            4.802            2.453
d29               3.378            9.165            1.387
（表１５）
ズームレンズ群データ
群    始面    焦点距離
1       1      130.86
2       6      -18.26
3      15       30.26
4      20      -33.39
5      23       26.67
6      30      -56.63
【００４１】
［数値実施例６］
図３１〜図３６と表１６〜表１８は、本発明による高変倍ズームレンズ系の実施例６を示している。図３１は長焦点距離端における無限遠合焦時のレンズ構成図、図３２はその諸収差図、図３３は横収差図であり、図３４は短焦点距離端における無限遠合焦時のレンズ構成図、図３５はその諸収差図、図３６は横収差図である。表１６はズームレンズ系の面データ、表１７はその各種データ、表１８はそのズームレンズ群データである。
【００４２】
実施例６では、第１レンズ群１０に異常分散性のある硝材からなる正レンズを１枚、及び、第５レンズ群５０に異常分散性のある硝材からなる正レンズを１枚備えている。
（表１６）
面データ
No.        R         d         Nd        Vd      Ｐg,F
1     189.894     2.500    1.83400     37.3                         
2      72.940     0.000                                             
3      72.940    10.200    1.43775     94.8     0.543               
4    -406.625     0.150                                              
5      70.308     8.500    1.60311     60.7                          
6     573.023     d 6                                                
7      37.658     1.300    1.83400     37.3                          
8      20.990     6.680                                              
9     202.948     1.300    1.80610     40.7                          
10      18.409     4.860    1.78472     25.7                          
11      62.423     5.060                                              
12     -24.503     1.100    1.77250     49.6                          
13      45.211     2.910    1.80518     25.5                          
14     -88.641     d14                                                
15絞  INFINITY     1.000                                          
16      34.144     3.490    1.62041     60.3                          
17     -74.900     0.100                                              
18      47.719     4.090    1.48749     70.4                          
19     -28.748     1.100    1.80518     25.5                          
20    -107.421     d20                                               
21     -35.280     1.200    1.71300     53.9                         
22      20.846     2.700    1.78472     25.7                         
23      61.066     d23                                               
24     269.415     3.920    1.48749     70.4                         
25     -24.422     0.120                                             
26      71.902     2.840    1.61800     63.4                         
27     -91.600     0.750                                             
28      29.644     5.220    1.49700     81.6      0.537               
29     -25.090     1.200    1.80610     33.3                         
30     110.292     d30                                               
31    -165.614     1.200    1.80610     33.3                         
32      38.079     3.190                                             
33    -322.381     1.200    1.77250     49.6                         
34      32.457     0.100                                             
35      29.793     3.390    1.74077     27.8                         
36    -89.105        -                                              
（表１７）
各種データ
ズーム比      13.28
短焦点距離    中間焦点距離    長焦点距離
Ｆナンバー        3.5           5.0             5.8
焦点距離         25.68         99.89          340.96
半画角           30.3           8.0             2.4
像高             14.24         14.24           14.24
BF               39.01         55.48           73.25
レンズ全長      169.82        216.55          250.58
ｄ6               2.000        48.676          82.082
ｄ14             34.121        12.526           2.000
ｄ20              2.185         5.629           8.103
ｄ23              8.092         4.648           2.174
ｄ30              3.042         8.222           1.600
（表１８）
ズームレンズ群データ
群    始面    焦点距離                      
1       1      130.68                                    
2       7      -18.24                                    
3      16       30.54                                    
4      21      -33.25                                    
5      24       26.53                                    
6      31      -56.46                                    
【００４３】
各実施例の各条件式に対する値を表１９に示す。
（表１９）
実施例１  実施例２  実施例３  実施例４  実施例５  実施例６
条件式（１）  7.24      7.04       6.21      7.90      7.16      7.16
条件式（２）  5.79      4.31       4.34      5.08      4.91      4.93
条件式（３） 63.4      63.4       63.4      63.4      63.4      63.4
【００４４】
表１９から明らかなように、実施例１〜実施例６は条件式（１）〜（３）を満足しており、また諸収差図及び横収差図から明らかなように諸収差は比較的よく補正されている。
【符号の説明】
【００４５】
１  高変倍ズームレンズ系
１０  正の第１レンズ群
２０  負の第２レンズ群
３０  正の第３レンズ群
４０  負の第４レンズ群
５０  正の第５レンズ群
６０  負の第６レンズ群
Ｓ  絞り
Ｉ  像面
【図１】
2010198012.tif 000003
【図２】
2010198012.tif 000004
【図３】
2010198012.tif 000005
【図４】
2010198012.tif 000006
【図５】
2010198012.tif 000007
【図６】
2010198012.tif 000008
【図７】
2010198012.tif 000009
【図８】
2010198012.tif 000010
【図９】
2010198012.tif 000011
【図１０】
2010198012.tif 000012
【図１１】
2010198012.tif 000013
【図１２】
2010198012.tif 000014
【図１３】
2010198012.tif 000015
【図１４】
2010198012.tif 000016
【図１５】
2010198012.tif 000017
【図１６】
2010198012.tif 000018
【図１７】
2010198012.tif 000019
【図１８】
2010198012.tif 000020
【図１９】
2010198012.tif 000021
【図２０】
2010198012.tif 000022
【図２１】
2010198012.tif 000023
【図２２】
2010198012.tif 000024
【図２３】
2010198012.tif 000025
【図２４】
2010198012.tif 000026
【図２５】
2010198012.tif 000027
【図２６】
2010198012.tif 000028
【図２７】
2010198012.tif 000029
【図２８】
2010198012.tif 000030
【図２９】
2010198012.tif 000031
【図３０】
2010198012.tif 000032
【図３１】
2010198012.tif 000033
【図３２】
2010198012.tif 000034
【図３３】
2010198012.tif 000035
【図３４】
2010198012.tif 000036
【図３５】
2010198012.tif 000037
【図３６】
2010198012.tif 000038
【図３７】
2010198012.tif 000039